【手続補正書】
【提出日】平成29年11月14日(2017.11.14)
【手続補正１】
【補正対象書類名】明細書
【補正対象項目名】００１３
【補正方法】変更
【補正の内容】
【００１３】
本発明の一様態は、ジョブ処理装置であって、
処理されたジョブに係る情報であるジョブ履歴情報を、該ジョブ履歴情報が出力されたことを示すまたは出力されていないことを示す属性と共に管理する管理手段と、
前記出力されていないことを示す属性に対応するジョブ履歴情報を出力する第１出力手段と、
前記出力されていないことを示す属性に対応するジョブ履歴情報のうち、所定のユーザのジョブ履歴情報を出力する第２出力手段と、
前記第１出力手段によって前記出力されていないことを示す属性に対応するジョブ履歴情報が出力された場合に、前記第１出力手段によって出力されたジョブ履歴情報の属性を前記出力されていないことを示す属性から前記出力されたことを示す属性に変更する変更手段と
を有し、
前記第２出力手段によって前記所定のユーザのジョブ履歴情報が出力された場合に、前記変更手段は、前記第２出力手段によって出力されたジョブ履歴情報の属性を変更しないことを特徴とする。
【手続補正２】
【補正対象書類名】特許請求の範囲
【補正対象項目名】全文
【補正方法】変更
【補正の内容】
【特許請求の範囲】
【請求項１】
ジョブ処理装置であって、
処理されたジョブに係る情報であるジョブ履歴情報を、該ジョブ履歴情報が出力されたことを示すまたは出力されていないことを示す属性と共に管理する管理手段と、
前記出力されていないことを示す属性に対応するジョブ履歴情報を出力する第１出力手段と、
前記出力されていないことを示す属性に対応するジョブ履歴情報のうち、所定のユーザのジョブ履歴情報を出力する第２出力手段と、
前記第１出力手段によって前記出力されていないことを示す属性に対応するジョブ履歴情報が出力された場合に、前記第１出力手段によって出力されたジョブ履歴情報の属性を前記出力されていないことを示す属性から前記出力されたことを示す属性に変更する変更手段と
を有し、
前記第２出力手段によって前記所定のユーザのジョブ履歴情報が出力された場合に、前記変更手段は、前記第２出力手段によって出力されたジョブ履歴情報の属性を変更しないことを特徴とするジョブ処理装置。
【請求項２】
前記第１出力手段は、前記管理手段で管理される前記出力されていないことを示す属性に対応するジョブ履歴情報が、所定の数になることに応じて、前記出力されていないことを示す属性に対応するジョブ履歴情報を出力することを特徴とする請求項１に記載のジョブ処理装置。
【請求項３】
前記第２出力手段は、前記出力されていないことを示す属性に対応するジョブ履歴情報のうち、ログインユーザのみのジョブ履歴情報を出力することを特徴とする請求項１又は２に記載のジョブ処理装置。
【請求項４】
更に、ジョブ履歴情報を出力するための出力指示を受け付ける受付手段を有し、
前記第２出力手段は、前記受付手段が前記所定のユーザのジョブ履歴情報の出力指示を受け付けることで、前記所定のユーザのジョブ履歴情報を出力することを特徴とする請求項１乃至３のいずれか１項に記載のジョブ処理装置。
【請求項５】
前記第１出力手段は、前記受付手段によってジョブ履歴情報の出力指示を受け付けることなく、前記出力されていないことを示す属性に対応するジョブ履歴情報を出力することを特徴とする請求項４に記載のジョブ処理装置。
【請求項６】
前記第１出力手段は、前記ジョブ履歴情報を印刷する第１印刷手段であり、
前記第２出力手段は、前記ジョブ履歴情報を印刷する第２印刷手段であることを特徴とする請求項１乃至５のいずれか１項に記載のジョブ処理装置。
【請求項７】
前記ジョブ処理装置は、印刷部を有する複合機であることを特徴とする請求項１乃至６の何れか１項に記載のジョブ処理装置。
【請求項８】
ジョブ処理装置の制御方法であって、
処理されたジョブに係る情報であるジョブ履歴情報を、該ジョブ履歴情報が出力されたことを示すまたは出力されていないことを示す属性と共に管理する管理工程と、
前記出力されていないことを示す属性に対応するジョブ履歴情報を出力する第１出力工程と、
前記出力されていないことを示す属性に対応するジョブ履歴情報のうち、所定のユーザのジョブ履歴情報を出力する第２出力工程と、
前記第１出力工程で前記出力されていないことを示す属性に対応するジョブ履歴情報が出力された場合に、前記第１出力工程で出力されたジョブ履歴情報の属性を前記出力されていないことを示す属性から前記出力されたことを示す属性に変更する変更工程と
を有し、
前記第２出力工程で前記所定のユーザのジョブ履歴情報が出力された場合に、前記変更工程では、前記第２出力工程で出力されたジョブ履歴情報の属性を変更しないことを特徴とするジョブ処理装置の制御方法。
【請求項９】
ジョブ処理装置であって、
処理されたジョブに係る情報であるジョブ履歴情報を複数記憶する記憶手段と、
前記記憶手段によって記憶されているジョブ履歴情報のうち、全てのユーザのジョブ履歴情報を出力する第１出力手段と、
前記記憶手段によって記憶されているジョブ履歴情報のうち、所定のユーザのジョブ履歴情報を出力する第２出力手段と
を有し、
前記第２出力手段は、前記第１出力手段が未出力のジョブ履歴情報を出力対象とし、
前記第１出力手段は、前記第２出力手段が出力済みのジョブ履歴情報を含むことが可能な、前記第１出力手段が未出力のジョブ履歴情報を出力対象とする
ことを特徴とするジョブ処理装置。
【請求項１０】
前記第１出力手段は、前記記憶手段によって所定の数のジョブ履歴情報が記憶されたことに応じて、該所定の数のジョブ履歴情報を出力することを特徴とする請求項９に記載のジョブ処理装置。
【請求項１１】
前記第２出力手段は、ログインユーザのみのジョブ履歴情報を出力することを特徴とする請求項９又は１０に記載のジョブ処理装置。
【請求項１２】
更に、ジョブ履歴情報を出力するための出力指示を受け付ける受付手段を有し、
前記第２出力手段は、前記受付手段によって前記所定のユーザのジョブ履歴情報の出力指示を受け付けることで、前記所定のユーザのジョブ履歴情報を出力することを特徴とする請求項９乃至１１のいずれか１項に記載のジョブ処理装置。
【請求項１３】
前記第１出力手段は、前記受付手段によってジョブ履歴情報の出力指示を受け付けることなく、前記所定のユーザのジョブ履歴情報を含む複数のジョブ履歴情報を出力することを特徴とする請求項１２に記載のジョブ処理装置。
【請求項１４】
前記第１出力手段は、前記ジョブ履歴情報を印刷する第１印刷手段であり、
前記第２出力手段は、前記ジョブ履歴情報を印刷する第２印刷手段であることを特徴とする請求項９乃至１３のいずれか１項に記載のジョブ処理装置。
【請求項１５】
前記ジョブ処理装置は、印刷部を有する複合機であることを特徴とする請求項９乃至１４のいずれか１項に記載のジョブ処理装置。
【請求項１６】
ジョブ処理装置の制御方法であって、
処理されたジョブに係る情報であるジョブ履歴情報を複数記憶する記憶工程と、
前記記憶工程によって記憶されているジョブ履歴情報のうち、全てのユーザのジョブ履歴情報を出力する第１出力工程と、
前記記憶工程によって記憶されているジョブ履歴情報のうち、所定のユーザのジョブ履歴情報を出力する第２出力工程と
を有し、
前記第２出力工程では、前記第１出力工程において未出力のジョブ履歴情報を出力対象とし、
前記第１出力工程では、前記第２出力工程において出力済みのジョブ履歴情報を含むことが可能な、前記第１出力工程において未出力のジョブ履歴情報を出力対象とする
ことを特徴とするジョブ処理装置の制御方法。
【請求項１７】
ジョブ処理装置のコンピュータを、請求項１乃至７、９乃至１５の何れか１項に記載のジョブ処理装置の各手段として機能させるためのコンピュータプログラム。